【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
入場対象エリアに対し入場を希望する第１の入場希望者の生体情報があらかじめ登録されている生体情報保持手段と、
前記第１の入場希望者および当該第１の入場希望者とともに入場を希望する第２の入場希望者から生体情報を取得する生体情報取得手段と、
この生体情報取得手段により取得された生体情報と前記生体情報保持手段に登録されている生体情報とを照合することにより両生体情報の類似度を求め、この求めた類似度のうち所定値以上の類似度が得られた生体情報を出力する照合手段と、
入場対象エリアに対し入場する人数を入力する人数入力手段と、
前記生体情報取得手段により生体情報を取得した入場希望者の人数を計数する人数計数手段と、
この人数計数手段により計数された人数と前記人数入力手段により入力された人数とを比較し、両人数が一致した際に前記生体情報取得手段により取得された生体情報を出力する人数比較手段と、
前記照合手段により出力された生体情報および前記人数比較手段により出力された生体情報を表示する表示手段と、
を具備したことを特徴とする入退場管理システム。
【請求項２】
入場対象エリアに対し入場を希望する第１の入場希望者からあらかじめ取得した個人の顔の特徴情報が当該第１の入場希望者の顔画像とともに登録されている顔特徴保持手段と、
前記第１の入場希望者および当該第１の入場希望者とともに入場を希望する第２の入場希望者の少なくとも顔を含む画像を撮影して入力する第１の画像入力手段と、
この第１の画像入力手段により入力された画像から顔領域を検出する顔領域検出手段と、
この顔領域検出手段により検出された顔領域から顔の特徴情報を抽出する顔特徴抽出手段と、
この顔特徴抽出手段により抽出された顔特徴情報と前記顔特徴保持手段に登録されている顔特徴情報とを照合することにより両顔特徴情報の類似度を求め、この求めた類似度のうち所定値以上の類似度が得られた顔特徴情報と対応する顔画像を出力する照合手段と、
入場対象エリアに対し入場する人数を入力する人数入力手段と、
前記第１の画像入力手段により画像を入力された入場希望者の人数を計数する人数計数手段と、
この人数計数手段により計数された人数と前記人数入力手段により入力された人数とを比較し、両人数が一致した際に前記顔領域検出手段により検出された顔領域の顔画像を出力する人数比較手段と、
前記照合手段により出力された顔画像および前記人数比較手段により出力された顔画像を表示する表示手段と、
を具備したことを特徴とする入退場管理システム。
【請求項３】
入場対象エリアに対し入場を希望する第１の入場希望者の生体情報が当該第１の入場希望者の識別情報と対応させてあらかじめ登録されている生体情報保持手段と、
前記第１の入場希望者および当該第１の入場希望者とともに入場を希望する第２の入場希望者から生体情報を取得する生体情報取得手段と、
この生体情報取得手段により取得された生体情報と前記生体情報保持手段に登録されている生体情報とを照合することにより両生体情報の類似度を求め、この求めた類似度のうち所定値以上の類似度が得られた生体情報に対応させて前記生体情報保持手段に登録されている識別情報を出力する照合手段と、
入場対象エリアに対し入場する人数を入力する人数入力手段と、
前記生体情報取得手段により生体情報を取得した入場希望者の人数を計数する人数計数手段と、
この人数計数手段により計数された人数と前記人数入力手段により入力された人数とを比較し、両人数が一致した際に前記生体情報取得手段により取得された生体情報を出力する人数比較手段と、
この人数比較手段により出力された生体情報を表示する表示手段と、
前記第１の入場希望者が入場を希望する入場対象エリアを示す行き先情報が当該第１の入場希望者の識別情報と対応させてあらかじめ登録されている行き先情報保持手段と、
前記照合手段により出力された識別情報に基づき当該識別情報と対応する行き先情報を前記行き先情報保持手段から取得する行き先情報取得手段と、
この行き先情報取得手段により取得された行き先情報に基づき対応する入場対象エリアに対する入場を制御する入場制御手段と、
を具備したことを特徴とする入退場管理システム。
【請求項４】
入場対象エリアに対し入場を希望する第１の入場希望者からあらかじめ取得した個人の顔の特徴情報が当該第１の入場希望者の識別情報と対応させて登録されている顔特徴保持手段と、
前記第１の入場希望者および当該第１の入場希望者とともに入場を希望する第２の入場希望者の少なくとも顔を含む画像を撮影して入力する画像入力手段と、
この画像入力手段により入力された画像から顔領域を検出する顔領域検出手段と、
この顔領域検出手段により検出された顔領域から顔の特徴情報を抽出する顔特徴抽出手段と、
この顔特徴抽出手段により抽出された顔特徴情報と前記顔特徴保持手段に登録されている顔特徴情報とを照合することにより両顔特徴情報の類似度を求め、この求めた類似度のうち所定値以上の類似度が得られた顔特徴情報に対応させて前記顔特徴保持手段に登録されている識別情報を出力する照合手段と、
入場対象エリアに対し入場する人数を入力する人数入力手段と、
前記画像入力手段により画像を入力された入場希望者の人数を計数する人数計数手段と、
この人数計数手段により計数された人数と前記人数入力手段により入力された人数とを比較し、両人数が一致した際に前記顔領域検出手段により検出された顔領域の顔画像を出力する人数比較手段と、
前記第１の入場希望者が入場を希望する入場対象エリアを示す行き先情報が当該第１の入場希望者の識別情報と対応させてあらかじめ登録されている行き先情報保持手段と、
前記照合手段により出力された識別情報に基づき当該識別情報と対応する行き先情報を前記行き先情報保持手段から取得する行き先情報取得手段と、
この行き先情報取得手段により取得された行き先情報に基づき対応する入場対象エリアに対する入場を制御する入場制御手段と、
入場対象エリアに入場した入場希望者の滞在時間を計測する滞在時間計測手段と、
この滞在時間計測手段により計測された滞在時間があらかじめ定められた一定値を超えたら警報を出力する警報出力手段と、
前記人数比較手段により出力された顔画像および前記滞在時間計測手段により計測された滞在時間を表示する表示手段と、
を具備したことを特徴とする入退場管理システム。
【請求項５】
入場対象エリアに対し入場を希望する第１の入場希望者からあらかじめ取得した個人の顔の特徴情報が当該第１の入場希望者の識別情報と対応させて登録されている顔特徴保持手段と、
前記第１の入場希望者および当該第１の入場希望者とともに入場を希望する第２の入場希望者の少なくとも顔を含む画像を撮影して入力する画像入力手段と、
この画像入力手段により入力された画像から顔領域を検出する顔領域検出手段と、
この顔領域検出手段により検出された顔領域から顔の特徴情報を抽出する顔特徴抽出手段と、
この顔特徴抽出手段により抽出された顔特徴情報と前記顔特徴保持手段に登録されている顔特徴情報とを照合することにより両顔特徴情報の類似度を求め、この求めた類似度のうち所定値以上の類似度が得られた顔特徴情報に対応させて前記顔特徴保持手段に登録されている識別情報を出力する照合手段と、
入場対象エリアに対し入場する人数を入力する人数入力手段と、
前記画像入力手段により画像を入力された入場希望者の人数を計数する人数計数手段と、
この人数計数手段により計数された人数と前記人数入力手段により入力された人数とを比較し、両人数が一致した際に前記顔領域検出手段により検出された顔領域の顔画像を出力する人数比較手段と、
前記第１の入場希望者が入場を希望する入場対象エリアを示す行き先情報が当該第１の入場希望者の識別情報と対応させてあらかじめ登録されている行き先情報保持手段と、
前記照合手段により出力された識別情報に基づき当該識別情報と対応する行き先情報を前記行き先情報保持手段から取得する行き先情報取得手段と、
この行き先情報取得手段により取得された行き先情報に基づき対応する入場対象エリアに対する入場を制御する入場制御手段と、
入場対象エリアに入場した入場希望者の滞在時間を計測する滞在時間計測手段と、
この滞在時間計測手段により計測された滞在時間があらかじめ定められた一定値を超えたら警報を出力する警報出力手段と、
前記人数比較手段により出力された顔画像、前記入場制御手段における制御情報および前記滞在時間計測手段により計測された滞在時間を保存するデータ保存手段と、
を具備したことを特徴とする入退場管理システム。
【請求項６】
入場対象エリアに対し入場を希望する第１の入場希望者および当該第１の入場希望者とともに入場を希望する第２の入場希望者から生体情報を取得する生体情報取得ステップと、
この生体情報取得ステップにより取得された生体情報とあらかじめ登録されている前記第１の入場希望者の生体情報とを照合することにより両生体情報の類似度を求め、この求めた類似度のうち所定値以上の類似度が得られた生体情報を出力する照合ステップと、
入場対象エリアに対し入場する人数を入力する人数入力ステップと、
前記生体情報取得ステップにより生体情報を取得した入場希望者の人数を計数する人数計数ステップと、
この人数計数ステップにより計数された人数と前記人数入力ステップにより入力された人数とを比較し、両人数が一致した際に前記生体情報取得ステップにより取得された生体情報を出力する人数比較ステップと、
前記照合ステップにより出力された生体情報および前記人数比較ステップにより出力された生体情報を表示する表示ステップと、
を具備したことを特徴とする入退場管理方法。
【請求項７】
入場対象エリアに対し入場を希望する第１の入場希望者および当該第１の入場希望者とともに入場を希望する第２の入場希望者の少なくとも顔を含む画像を撮影して入力する画像入力ステップと、
この画像入力ステップにより入力された画像から顔領域を検出する顔領域検出ステップと、
この顔領域検出ステップにより検出された顔領域から顔の特徴情報を抽出する顔特徴抽出ステップと、
この顔特徴抽出ステップにより抽出された顔特徴情報と、前記第１の入場希望者からあらかじめ取得した個人の顔の特徴情報が当該第１の入場希望者の顔画像とともに登録されている顔特徴保持手段に登録されている顔特徴情報とを照合することにより両顔特徴情報の類似度を求め、この求めた類似度のうち所定値以上の類似度が得られた顔特徴情報と対応する顔画像を出力する照合ステップと、
入場対象エリアに対し入場する人数を入力する人数入力ステップと、
前記画像入力ステップにより画像を入力された入場希望者の人数を計数する人数計数ステップと、
この人数計数ステップにより計数された人数と前記人数入力ステップにより入力された人数とを比較し、両人数が一致した際に前記顔領域検出ステップにより検出された顔領域の顔画像を出力する人数比較ステップと、
前記照合ステップにより出力された顔画像および前記人数比較ステップにより出力された顔画像を表示する表示ステップと、
を具備したことを特徴とする入退場管理方法。
【請求項８】
入場対象エリアに対し入場を希望する第１の入場希望者および当該第１の入場希望者とともに入場を希望する第２の入場希望者から生体情報を取得する生体情報取得ステップと、
この生体情報取得ステップにより取得された生体情報と、前記第１の入場希望者の生体情報が当該第１の入場希望者の識別情報と対応させてあらかじめ登録されている生体情報保持手段に登録されている生体情報とを照合することにより両生体情報の類似度を求め、この求めた類似度のうち所定値以上の類似度が得られた生体情報に対応させて前記生体情報保持手段に登録されている識別情報を出力する照合ステップと、
入場対象エリアに対し入場する人数を入力する人数入力ステップと、
前記生体情報取得ステップにより生体情報を取得した入場希望者の人数を計数する人数計数ステップと、
この人数計数ステップにより計数された人数と前記人数入力ステップにより入力された人数とを比較し、両人数が一致した際に前記生体情報取得ステップにより取得された生体情報を出力する人数比較ステップと、
この人数比較ステップにより出力された生体情報を表示する表示ステップと、
前記照合ステップにより出力された識別情報に基づき当該識別情報と対応する行き先情報を、前記第１の入場希望者が入場を希望する入場対象エリアを示す行き先情報が当該第１の入場希望者の識別情報と対応させてあらかじめ登録されている行き先情報保持手段から取得する行き先情報取得ステップと、
この行き先情報取得ステップにより取得された行き先情報に基づき対応する入場対象エリアに対する入場を制御する入場制御ステップと、
を具備したことを特徴とする入退場管理方法。
【請求項９】
入場対象エリアに対し入場を希望する第１の入場希望者および当該第１の入場希望者とともに入場を希望する第２の入場希望者の少なくとも顔を含む画像を撮影して入力する画像入力ステップと、
この画像入力ステップにより入力された画像から顔領域を検出する顔領域検出ステップと、
この顔領域検出ステップにより検出された顔領域から顔の特徴情報を抽出する顔特徴抽出ステップと、
この顔特徴抽出ステップにより抽出された顔特徴情報と、前記第１の入場希望者からあらかじめ取得した個人の顔の特徴情報が当該第１の入場希望者の識別情報と対応させて登録されている顔特徴保持手段に登録されている顔特徴情報とを照合することにより両顔特徴情報の類似度を求め、この求めた類似度のうち所定値以上の類似度が得られた顔特徴情報に対応させて前記顔特徴保持手段に登録されている識別情報を出力する照合ステップと、
入場対象エリアに対し入場する人数を入力する人数入力ステップと、
前記画像入力ステップにより画像を入力された入場希望者の人数を計数する人数計数ステップと、
この人数計数ステップにより計数された人数と前記人数入力ステップにより入力された人数とを比較し、両人数が一致した際に前記顔領域検出ステップにより検出された顔領域の顔画像を出力する人数比較ステップと、
前記照合ステップ手段により出力された識別情報に基づき当該識別情報と対応する行き先情報を、前記第１の入場希望者が入場を希望する入場対象エリアを示す行き先情報が当該第１の入場希望者の識別情報と対応させてあらかじめ登録されている行き先情報保持手段から取得する行き先情報取得ステップと、
この行き先情報取得ステップにより取得された行き先情報に基づき対応する入場対象エリアに対する入場を制御する入場制御ステップと、
入場対象エリアに入場した入場希望者の滞在時間を計測する滞在時間計測ステップと、
この滞在時間計測ステップにより計測された滞在時間があらかじめ定められた一定値を超えたら警報を出力する警報出力ステップと、
前記人数比較ステップにより出力された顔画像および前記滞在時間計測ステップにより計測された滞在時間を表示する表示ステップと、
を具備したことを特徴とする入退場管理方法。